(57)【特許請求の範囲】
【請求項１】
操作キーと、
該操作キーの押下により接点を閉じるスイッチと、
前記操作キーの外側あるいは内側に設けられ光を透過させ発光する発光部と、
前記発光部を発光させるための光源と、
該光源からの光を前記発光部へ拡散するための光拡散部材と、
前記光源からの光を前記光拡散部材に向けて反射する反射部を備え、
前記操作キーは、
可撓性を有するシート状パネルと該シート状パネルの後方に設けられた支持部材と該支持部材に揺動可能に支持された可動部とを備え、
前記可動部は、
裏側に前記反射部に向けて前記光源の光を反射するための光反射リブを備えたことを特徴とする操作部。
【請求項２】
前記反射部は、
前記光源の光を前記光拡散部材に向けて反射させる傾斜面からなる第１の反射部と、
該第１の反射部の両端に前記光拡散部材に向けて間隔が広がるように対向する第２の反射部からなることを特徴とする請求項１に記載の操作部。
【請求項３】
前記光反射リブは、
２枚の板状部材でくの字状に設けられ、くの字の角度が９０度以上１３５度以下であることを特徴とする請求項１又は２に記載の操作部。
【請求項４】
前記光反射リブは、
前記光源の側方に設けられ、前記光源の光を側方に反射させて前記反射部に光を照射し、前記反射部は側方からの光を上方へ反射させることを特徴とする請求項１〜３のいずれか１項に記載の操作部。
【請求項５】
前記可動部は、
裏側の両端部近傍に前記スイッチを２個同時、もしくはどちらか一方を開閉可能に押下する突起部を有することを特徴とする請求項１〜４いずれか１項に記載の操作部。
【請求項６】
前記操作キーを円形状に複数個連続して配置したことを特徴とする請求項１〜５いずれか１項に記載の操作部。
【請求項７】
操作キーと、
該操作キーの押下により接点を閉じるスイッチと、
前記操作キーの外側あるいは内側に設けられ光を透過させ発光する発光部と、
前記発光部を発光させるための光源と、
該光源からの光を前記発光部へ拡散するための光拡散部材と、
前記光源からの光を前記光拡散部材に向けて反射する反射部を備え、
前記反射部は、
前記光源の光を前記光拡散部材に向けて反射させる傾斜面からなる第１の反射部と、
該第１の反射部の両端に前記光拡散部材に向けて間隔が広がるように対向する第２の反射部からなり、
前記操作キーは、
可撓性を有するシート状パネルと該シート状パネルの後方に設けられた支持部材と該支持部材に揺動可能に支持された可動部を備えて円形状に複数個連続して配置され、
前記可動部は、
裏側に前記第１の反射部及び前記第２の反射部に向けて前記光源の光を反射するための、くの字状に設けられた光反射リブを備え、
前記光反射リブは前記光源の側方に設けられ、前記光源の光を側方に反射させて前記第１の反射部及び前記第２の反射部に光を照射し、
前記第１の反射部及び前記第２の反射部は側方からの光を上方へ反射させることを特徴とする操作部。
【請求項８】
操作キーと、
該操作キーの押下により接点を閉じるスイッチと、
前記操作キーの外側あるいは内側に設けられ光を透過させ発光する発光部と、
前記発光部を発光させるための光源と、
該光源からの光を前記発光部へ拡散するための光拡散部材と、
前記光源からの光を前記光拡散部材に向けて反射する反射部を備え、
前記操作キーは、
可撓性を有するシート状パネルと該シート状パネルの後方に設けられた支持部材と該支持部材に揺動可能に支持された第１の可動部によって構成される第１の操作キーと、
樹脂成形ボタンと前記支持部材に揺動可能に支持された第２の可動部によって構成される第２の操作キーからなり、
前記第１の操作キーは円形状に複数個連続して配置され、
前記第１の操作キーに対応する前記発光部は前記第１の操作キーの外側に設けられ、
前記第２の操作キーに対応する前記発光部は前記第２の操作キーの内側に設けられ、
前記反射部は、
前記光源の光を前記光拡散部材に向けて反射させる傾斜面からなる第１の反射部と、
該第１の反射部の両端に前記光拡散部材に向けて間隔が広がるように対向する第２の反射部からなり、
前記第１の可動部は、
裏側に前記第１の反射部及び前記第２の反射部に向けて前記光源の光を反射するための、くの字状に設けられた光反射リブを備えてなり、
前記光反射リブは前記光源の側方に設けられ前記光源の光を側方に反射させて前記第１の反射部及び前記第２の反射部に光を照射し、
前記第１の反射部及び前記第２の反射部は側方からの光を上方へ反射させ、
前記第２の可動部は、
前記第１の反射部及び前記第２の反射部を備えてなり、
前記第１の反射部及び前記第２の反射部は前記光源の側方からの光を上方へ反射させるようにしたことを特徴とする操作部。
【請求項９】
本体と、
該本体内に設けられ、前側が開口し内部に被調理物を収容する調理室と、
該調理室に収容された前記被調理物を加熱するための加熱手段と、
回動自在に設けられ、前記調理室の前側開口を閉塞するための扉体と、
前記加熱手段への操作入力をするための操作部と、を備え、
該操作部は請求項１〜８のいずれか１項に記載の操作部であることを特徴とする加熱調理器。
【請求項１０】
本体と、
該本体内に設けられ、前側が開口し内部に被調理物を収容する調理室と、
該調理室に収容された前記被調理物を加熱するための加熱手段と、
回動自在に設けられ、前記調理室の前側開口を閉塞するための扉体と、
前記加熱手段への操作入力をするための操作部と、を備え、
該操作部は請求項１〜８のいずれか１項に記載の操作部で、前記扉体と一体的に設けられていることを特徴とする加熱調理器。
【発明の詳細な説明】
【技術分野】
【０００１】
本発明は、操作キーの近傍に発光部を有する機器の操作部に関し、その操作部を備えた加熱調理器に関する。
【背景技術】
【０００２】
従来、光透過フィルタからなる発光部を備え、その後方に配置された光源の直接光によって発光部が発光する加熱調理器の操作部が知られている。（例えば、特許文献１参照。）
【先行技術文献】
【特許文献】
【０００３】
【特許文献１】特許第４３０９９０３号公報（第４頁、図４）
【発明の概要】
【発明が解決しようとする課題】
【０００４】
しかしながら、従来の加熱調理器の操作部は、操作部上の操作キーの幅に合わせた幅の広い発光部を有しており、光源を発光部の面積に対して狭い点光源を使用すると、光源の光が広く拡散しないため、発光部の発光状態が点光源周辺では発光が強く、光源から離れた場所は発光が弱くなる。したがって、幅の広い発光部でありながら発光領域が狭く限られるため、意匠性が損なわれるという課題があった。
【０００５】
また、発光領域を広げるためには、光源と発光部の距離を離して光を拡散させなければならず、操作部の奥行きを長くしなければならないという課題があった。
【０００６】
本発明は上記課題を解決するものであり、点光源を使用しながら奥行きを長くすることなく発光部を広い幅で発光させることができる操作部及びその操作部を備えた加熱調理器を提供することを目的とする。
【課題を解決するための手段】
【０００７】
本発明の第１の発明の操作部は、操作キーと、該操作キーの押下により接点を閉じるスイッチと、前記操作キーの外側あるいは内側に設けられ光を透過させ発光する発光部と、前記発光部を発光させるための光源と、該光源からの光を前記発光部へ拡散するための光拡散部材と、前記光源からの光を前記光拡散部材に向けて反射する反射部を備え、前記操作キーは、可撓性を有するシート状パネルと該シート状パネルの後方に設けられた支持部材と該支持部材に揺動可能に支持された可動部とを備え、前記可動部は、裏側に前記反射部に向けて前記光源の光を反射するための光反射リブを備えたものである。
【発明の効果】
【０００８】
本発明によれば、光源からの光を反射させて光拡散部材へ導くようにしたので、光を拡散させるために奥行きを長くする必要がなく、さらに光拡散部材へ導かれた光は点光源からの直接光ではなく反射させた間接光であるので、発光部を広い幅で発光させることができるという効果が得られる。
【図面の簡単な説明】
【０００９】
【図１】本発明の実施の形態に係る加熱調理器の斜視図である。
【図２】本発明の実施の形態に係る加熱調理器の側面視の断面図である。
【図３】（ａ）本発明の実施の形態に係る加熱調理器の操作部の正面図、（ｂ）本発明の実施の形態に係る加熱調理器の操作部の光拡散部材を示す正面図である。
【図４】（ａ）本発明の実施の形態に係る加熱調理器の操作部の支持部材の正面図、（ｂ）本発明の実施の形態に係る加熱調理器の操作部の支持部材の正面方向の斜視図、
【図５】（ａ）本発明の実施の形態に係る加熱調理器の操作部の支持部材の背面図、（ｂ）本発明の実施の形態に係る加熱調理器の操作部の支持部材の背面方向の斜視図である。
【図６】本発明の実施の形態に係る加熱調理器の操作部の基板の正面図である。
【図７】本発明の実施の形態に係る加熱調理器の操作部の組立図である。
【図８】（ａ）図３（ａ）の断面Ａ−Ａにおける部分断面図、（ｂ）図３（ａ）の断面Ｂ−Ｂにおける部分断面図、（ｃ）図８（ｂ）においてキーが押下されたときのスイッチ閉状態の部分断面図である。
【図９】図３（ａ）の断面Ｃ−Ｃにおける部分断面図である。
【図１０】本発明の実施の形態の一例の加熱調理器の操作部スイッチの部分断面図である。
【図１１】（ａ）〜（ｃ）本発明の実施の形態に係る加熱調理器における、マイクロ波加熱によるレンジ調理の機能切り替えの操作手順と発光部の点灯状況、及び、表示部の表示内容を示した説明図である。
【図１２】（ａ）〜（ｃ）本発明の実施の形態に係る加熱調理器における、マイクロ波加熱によるレンジ調理の機能切り替えの操作手順と発光部の点灯状況、及び、表示部の表示内容を示した説明図である。（図１１（ａ）〜（ｃ）の続き）
【図１３】（ａ）〜（ｃ）本発明の実施の形態に係る加熱調理器におけるレンジ調理の「自動」「あたため」のモードを使用する場合の操作手順と発光部の点灯状況、及び、表示部の表示内容を示した説明図である。
【図１４】（ａ）〜（ｄ）発明の実施の形態に係る加熱調理器におけるレンジ調理の「手動」のモードを使用する場合の操作手順と発光部の点灯状況、及び、表示部の表示内容を示した説明図である。
【図１５】（ａ）〜（ｃ）本発明の実施の形態に係る加熱調理器におけるレンジグリル調理における機能切り替えの操作手順と発光部の点灯状況、及び、表示部の表示内容を示した説明図である。
【図１６】（ａ）〜（ｃ）本発明の実施の形態に係る加熱調理器におけるレンジグリル調理の「手動」のモードを使用する場合の操作手順と発光部の点灯状況、及び、表示部の表示内容を示した説明図である。
【図１７】（ａ）〜（ｂ）本発明の実施の形態に係る加熱調理器におけるレンジグリル調理の「手動」のモードを使用する場合の操作手順と発光部の点灯状況、及び、表示部の表示内容を示した説明図である。（図１６（ａ）〜（ｃ）の続き）
【図１８】（ａ）〜（ｄ）本発明の実施の形態に係る加熱調理器におけるグリル調理を行う場合の操作手順と発光部の点灯状況、及び、表示部の表示内容を示した説明図である。
【図１９】（ａ）〜（ｃ）本発明の実施の形態に係る加熱調理器における、オーブン調理における機能切り替えの操作手順と発光部の点灯状況、及び、表示部の表示内容を示した説明図である。
【図２０】（ａ）〜（ｄ）本発明の実施の形態に係る加熱調理器における、予熱なしのオーブン調理を行う場合の操作手順と発光部の点灯状況、及び、表示部の表示内容を示した説明図である。
【図２１】（ａ）〜（ｄ）本発明の実施の形態に係る加熱調理器における、予熱ありのオーブン調理を行う場合の操作手順と発光部の点灯状況、及び、表示部の表示内容を示した説明図である。
【発明を実施するための形態】
【００１０】
以下、本発明の実施の形態について図を用いて説明する。
図１は本発明の実施の形態に係る加熱調理器の斜視図、図２は本発明の実施の形態に係る加熱調理器の側面断面図である。
図１、図２において、本実施の形態に係る加熱調理器は、本体１の内部に前面が開口した調理室２を備え、本体１の前側に調理室２の前面開口を閉塞する、窓３を有する扉体４が設けられている。この扉体４は、下部を本体１に軸支されており、上部に設けられたハンドル７により開閉可能に構成されている。
そして、加熱調理器を正面から見て扉体４の右側に位置する略長方形状の領域には、使用者が調理に関する所定の操作入力を行う操作部８が扉体４と一体的に形成され、扉体４の開放時に扉体４と同時に可動するようになっている。この操作部８には、後述する複数の操作キー（入力のための全ての操作キー）が設けられている。また、この操作部８の上方には、操作入力の状態と調理状況を表示する表示部９が設けられている。
【００１１】
次に、調理室２内部には、被調理物５を載置するセラミックによって構成された調理プレート６が着脱自在に設置され、調理室２側面に設けられたガイドレール（図示せず）に支持されるように構成されている。
調理室２の上面外側には、発熱体であるニクロム線をマイカで挟んで構成したフラットヒーター１８が配置されている。フラットヒーター１８は、断熱材１９と、これらを覆う板金２０によって上部を覆われており、調理室２内部を上側から加熱するように構成されている。
【００１２】
次に、調理室２の下部には、本体１内に設置されたインバーター基板（図示せず）により電力供給されるマグネトロン（図示せず）の発生する周波数約２４５０ＭＨｚのマイクロ波を、調理室２に伝播するアンテナ２１が備えられている。
このアンテナ２１は、調理室２とセラミックプレート２３で隔てられた下部加熱室２４内に、回転可能に軸支され、モーター２５によって回転しながら、導波管２６を介して伝播されるマイクロ波を調理室２に伝播するものである。
また、下部加熱室２４内部には、本体１内に設置された電源基板（図示せず）により電力供給される、アンテナ２１を取り囲むように配置されたシーズヒーター２２が配置されており、セラミックプレート２３を通して調理室２内部を下側から加熱するように構成されている。
【００１３】
次に、扉体４には、調理室２内部に伝播したマイクロ波が、扉体４と調理室２の合わせ目から漏洩することを防止するための金属製の袋小路構造を有するチョーク２８と、マイクロ波の漏洩を遮断しつつ、前面に設けられた窓３を通して調理室２内部を外側から見通せるようにするための直径１ｍｍ程度の複数の開口を有する金属製の開口パネル２９を内部に備えている。
調理室２の背面外側には、背面加熱室３０が形成され、背面加熱室３０内には赤外線を発生する背面ガラス管ヒーター３１と、これを取り囲む反射部３２が設けられている。
【００１４】
次に、調理室２と背面加熱室３０を仕切る壁面の背面ガラス管ヒーター３１の前側には、反射部３２の開口と同等もしくは、それよりも広い領域に赤外線入射部となる直径約４ｍｍの複数の連通孔でなる背面開口部３３が設けられている。
この背面開口部３３は、背面ガラス管ヒーター３１の発生する赤外線を調理室２内に透過させるが、調理室２内部に伝播されたマイクロ波を背面加熱室３０内に伝播することを防止する機能を持つ。
【００１５】
また、反射部３２は、背面加熱室３０内の下部位置に設けられた送風ファン３４を収容する循環室３５に連通している。この循環室３５の後方には、送風ファン３４を駆動するファンモーター３６が設けられている。
調理室２と背面加熱室３０を仕切る壁面における送風ファン３４前側には、直径約４ｍｍの複数の吸気口３７が設けられている。
【００１６】
送風ファン３４は、ファンモーター３６により回転されることにより、調理室２内の空気を、吸気口３７を介して循環室３５内に吸気し、反射部３２の背面ガラス管ヒーター３１に送る機能を持つ。
そして、反射部３２内で背面ガラス管ヒーター３１によって加熱された空気は、背面開口部３３を介して調理室２内部に送出される。
このように、送風ファン３４を駆動させると、調理室２内部に熱風の対流を発生させることが可能となり、調理室２内の温度の立ち上りを早くすることができる。
【００１７】
また、セラミックからなる調理プレート６を調理室２側面のガイドレール（図示せず）に支持させて、吸気口３７に差し掛かる高さに設置すると、調理プレート６の上の空間内で空気が循環し、この空間の温度が高くなる。
このため、調理プレート６上での調理時間を短縮することが可能となる。
【００１８】
また、本実施の形態の加熱調理器においては、前述のように構成されているため、マグネトロン（図示せず）の発生するマイクロ波によるレンジ調理と、調理室２上部のフラットヒーター１８による加熱のみ、もしくは、フラットヒーター１８に加えて背面ガラス管ヒーター３１による加熱を加えて上側から加熱を行うグリル調理と、グリル調理で用いる加熱源にシーズヒーター２２による加熱を組み合わせて、庫内全体を均一に加熱するオーブン調理を行うことができる。
【００１９】
また、セラミックプレート２３はマイクロ波を透過するため、セラミックプレート２３上に被調理物５を載置させた状態でマイクロ波加熱とヒーター加熱を組み合わせて調理することができる。
つまり、マイクロ波加熱とヒーター加熱を同時、あるいは交互に行うことにより、ヒーター加熱のみでは均一な加熱調理が困難であった、厚みのある食材や、水分の多い食材も早く調理することができる。
【００２０】
それから、前述のように本体１内にはノイズの発生源となるインバーター基板（図示せず）等が配置されているので、操作入力のための全ての操作キーを備える操作部８を扉体４と一体として構成し本体１から分離することで、操作部８を操作することで発生する入力信号へノイズがのることを低減することができ、誤動作を防止することができる。
【００２１】
図３（ａ）は本発明の実施の形態に係る加熱調理器の操作部の正面図、図３（ｂ）は本発明の実施の形態に係る加熱調理器の操作部の光拡散部材を示す正面図、図４（ａ）は本発明の実施の形態に係る加熱調理器の操作部の支持部材の正面図、図４（ｂ）は本発明の実施の形態に係る加熱調理器の操作部の支持部材の正面方向の斜視図、図５（ａ）は本発明の実施の形態に係る加熱調理器の操作部の支持部材の背面図、図５（ｂ）は本発明の実施の形態に係る加熱調理器の操作部の支持部材の背面方向の斜視図、図６は本発明の実施の形態に係る加熱調理器の操作部の基板の正面図、図７は本発明の実施の形態に係る加熱調理器の操作部の組立図である。
【００２２】
図８（ａ）は図３（ａ）の断面Ａ−Ａにおける部分断面図、図８（ｂ）は図３（ａ）の断面Ｂ−Ｂにおける部分断面図、図８（ｃ）は図８（ｂ）におけるキーが押下されたときのスイッチ閉状態の部分断面図、図９は図３（ａ）の断面Ｃ−Ｃにおける部分断面図である。
【００２３】
図３（ａ）に示すように、操作部８の表面は、樹脂製薄板で例えばＰＣ（ポリカーボネート）樹脂からなる厚み０．５ｍｍの可撓性を有するシート状パネル１２５で構成された略長方形状であり、第１の操作入力領域１０１と第２の操作入力領域１１０と第３の操作入力領域１２３と表示部９を有する。表示部９は透明で、後述する液晶９２からなる略長方形状の表示領域であり、固定の文字と記号により、操作部８への操作入力の状態と調理状況を表示する。
【００２４】
表示部９の下側の領域に設けられた、調理メニューを選択する第１の操作入力領域１０１には、レンジキー１０２、レンジグリルキー１０３、グリルキー１０４、オーブンキー１０５の各キーと、前記各キーの上側に配置された発光部１０６、発光部１０７、発光部１０８、発光部１０９が配置されている。  
【００２５】
第１の操作入力領域１０１の各キーは調理メニューの選択を行うものであり、レンジキー１０２はマグネトロンによるマイクロ波加熱を用いたレンジ調理の選択、レンジグリルキー１０３はマイクロ波加熱の後にフラットヒーター１８および背面ガラス管ヒーター３１の加熱を連続して行うレンジグリル調理の選択、グリルキー１０４はグリル調理の選択、オーブンキー１０５はフラットヒーター１８とシーズヒーター２２の加熱によるオーブン調理の選択を行う。
なお、調理メニューとは、レンジ調理、レンジグリル調理、グリル調理、オーブン調理のことを言う。
【００２６】
これらの調理メニューの選択を行う各キーは、左から、レンジキー１０２、レンジグリルキー１０３、グリルキー１０４、オーブンキー１０５の順番で横一列となるように配列されている。
また、これらの発光部１０６、発光部１０７、発光部１０８、発光部１０９も、横方向に一列に配置されており、ドアを開閉した際の初期状態で点滅し、キーが選択された場合に点灯するように構成されている。
【００２７】
尚、発光部１０６はレンジキー１０２の上方に位置し、発光部１０７はレンジグリルキー１０３の上方に位置し、発光部１０８はグリルキー１０４の上方に位置し、発光部１０９はオーブンキー１０５の上方に位置し、それぞれのキーに対応した位置関係となるように配置されている。
このように、第１の操作入力領域は上記の各キー群の配列により、略長方形状に形成されている。
【００２８】
次に、第１の操作入力領域１０１の下側の離間した位置には、第２の操作入力領域１１０が設けられている。
この第２の操作入力領域１１０は、各調理メニューが選択された際に、調理の仕上がりに関わる加熱の強さを調節する２つの仕上がり調節キー１１１（プラスキー）、１１２（マイナスキー）と、調理時間を設定する３つの調理時間設定キー１１５、１１６、１１７と、調理を開始する調理開始キーであるスタートキー１２１から構成されている。また、これらキーに対応してキーの外側に発光部１１３、発光部１１４、発光部１１８、発光部１１９、発光部１２０、スタートキー１２１の内側に発光部１２２が設けられている。
尚、第２の操作入力領域１１０は、これらのキー及び発光部の配置により、略円形状に形成されている。
【００２９】
次に、第２の操作入力領域１１０の各キーを説明すると、まず、仕上がり調節キーは、調理物５の調理の仕上がり具合を上げるプラスキー１１１と、仕上がり具合を下げるマイナスキー１１２からなる。仕上がり具合とは、仕上がり状態の調理物５の温度や焼目の具合や量などのことである。
また、これらの仕上がり調節キーの形状は、中心から所定の半径の領域が切り欠かれた開角が略９０度の扇形状である。
【００３０】
次に、調理時間設定キーは、調理時間を任意に設定する際に用いるものであり、５分単位で時間設定を行う５分キー１１５と、１分単位で時間設定を行う１分キー１１６と、１０秒単位で時間設定を行う１０秒キー１１７からなる。これらの時間設定キーの形状は、中心から所定の半径の領域が切り欠かれた開角が略６０度の扇形状である。
尚、仕上がり調節キーと時間設定キーをなす扇形状のキーは、全て同じ半径で構成されており、また、切り欠かれた部分の領域の半径も同じである。
【００３１】
次に、スタートキー１２０は、第１の操作入力領域又は仕上がり調節キー又は調理時間設定キーにより各種設定を行った後、加熱調理を開始するためのキーである。このスタートキー１２０は、円形状に構成されており、この円の半径は仕上がり調節キーや時間設定キーの切り欠かれた部分の領域の半径よりも小さい。
また、スタートキー１２１には、キー入力が可能な場合に点滅する発光部１２２が設けられている。
【００３２】
以上のように構成された第２の操作入力領域１１０を構成するキーは、次のように配置される。
まず、プラスキー１１１とマイナスキー１１２と５分キー１１５と１分キー１１６と１０秒キー１１７は、各キーの直線部分を隣り合わせて配置される。つまり、プラスキー１１１とマイナスキー１１２は開角が略９０度であり、５分キー１１５と１分キー１１６と１０秒キー１１７は開角が略６０であり、各キーをなす扇形状は全て同じ半径であり、また、それぞれ切り欠かかれた部分の領域の半径も同じであることから、これらのキーの配列により円形状（円盤状）が形成される。
【００３３】
そして、この円形状の中心となる位置に、スタートキー１２１が配置され、第２の操作入力領域１１０は、これらのキーの配置により、円形状に形成される。
尚、マイナスキー１１２とプラスキー１１１は、第２の操作入力領域の上半分に配置され、左側にマイナスキー１１２、右側にプラスキー１１１が位置する。
【００３４】
また、５分キー１１５、１分キー１１６、１０秒キー１１７は、第２の操作入力領域の下半分に配置され、左側に５分キー１１５、中心に１分キー１１６、右側に１０秒キー１１７が位置する。
また、仕上がり調節キー及び調理時間設定キーのそれぞれのキーの外周部には、キー入力が可能な場合に点灯する発光部１１３、発光部１１４、発光部１１８、発光部１１９、発光部１２０が配置されている。
【００３５】
次に、第２の操作入力領域１１０の左下側の離間した位置には、第３の操作入力領域１２３が形成されており、領域内部に第１の操作入力領域１１０及び第２の操作入力領域１１０で行った操作入力を解除する円形状の取消しキー１２４が配置されている。
この第３の操作入力領域１２３は、略長方形状である操作部８の下辺８ａと、この下辺に略垂直に交わる左辺８ｂと、円形状である第２の操作入力領域１１０に囲まれている。
【００３６】
ここで、操作部８における第２の操作入力領域１１０の占める割合が大きくなり、第２の操作入力領域１１０が操作部８の下辺８ａと左辺８ｂに近づいても、第２の操作入力領域１１０は円形状であるので、第２の操作入力領域１１０と下辺８ａと左辺８ｂに囲まれた部分には隙間が形成される。
従って、操作部８における第２の操作入力領域１１０の占める割合が大きくなっても、取消しキー１２４を設けるスペースを確保することができる。
【００３７】
次に、操作部８の内部構成について図を用いて説明する。
図３（ｂ）に示すようにシート状パネル１２５の各発光部の裏側には発光部１０６、発光部１０７、発光部１０８、発光部１０９に対応する光拡散部材９１ａ、発光部１１３、発光部１１４、発光部１１８、発光部１１９、発光部１２０に対応する光拡散部材９１ｂ、発光部１２２に対応する光拡散部材９１ｃがそれぞれ設けられている。ここで光拡散部材とは、照射された光を拡散させて輝度むらを少なくするためのものである。
【００３８】
シート状パネル１２５の後方には図７に示すように、基板１２６上に設置される樹脂成形品で例えばＡＢＳ（アクリロニトリルブタジェンスチレン）樹脂からなる支持部材１２７が配置されている。支持部材１２７には図４（ａ）、図４（ｂ）に示すように、シート状パネル１２５に設けられたマイナスキー１１２に対応する可動部１２８が２本の支持アーム９３により、シート状パネル１２５の法線方向に揺動可能に支持されている。
【００３９】
同様にプラスキー１１１に対応する可動部１３８が２本の支持アーム１３９に、１０秒キー１１７に対応する可動部１４０が２本の支持アーム１４１に、１分キー１１６に対応する可動部１４２が２本の支持アーム１４３に、５分キー１１５に対応する可動部１４４が２本の支持アーム１４５に、それぞれシート状パネル１２５の法線方向に揺動可能に支持されていて支持部材１２７に一体成形されている。
【００４０】
図３（ａ）に示すようにマイナスキー１１２、プラスキー１１１、１０秒キー１１７、１分キー１１６、５分キー１１５は円形状に配置されているので、それぞれのキーに対応する可動部１２８、可動部１３８、可動部１４０、可動部１４２、可動部１４４も同様に円形状に配置されている。
【００４１】
以下、マイナスキー１１２を一例としてキー周辺構造を説明する。
マイナスキー１１２は、円形状に連続的に配置された第２の操作入力領域１１０において４分の１の面積を占める大きさであり、これを受ける可動部１２８は使用者の指の太さに対して十分な幅が確保されている。
【００４２】
マイナスキー１１２の外周部には、キー形状に沿った細長い発光部１１４が設けられている。発光部１１４の裏側には前述の通り光拡散部材９１ｂが設けられており、ここに光を照射することで光が拡散される。発光部１１４の後方の支持部材１２７には図４（ａ）、図４（ｂ）に示すように、発光部１１４の形状に沿った導光溝９５が設けられ、中央付近の可動部１２８に対向する壁面に傾斜面を有する第１の反射部９６が設けられている。また、第１の反射部９６の両端に、光拡散部材９１ｂに向けて間隔が広がるように対向する一対の傾斜面を有する第２の反射部９７が設けられている。
【００４３】
可動部１２８の裏側中央付近には図５（ａ）、図５（ｂ）に示すように、第１の反射部９６側に向けて略１００度の角度でくの字状に開いた光反射リブ９８が、図７（ａ）に示すように、基板１２６上のＬＥＤ１３０の側方を囲むように、基板１２６に隙間を開けて設けられている。
【００４４】
このように構成されているのでＬＥＤ１３０が発光すると、その光はまずＬＥＤ１３０の側方に設けられた光反射リブ９８に照射され、光反射リブ９８によって側方にある第１の反射部９６と第２の反射部９７に向けて横向きに反射される。反射した光は傾斜面で上向きに広がりながら導光溝９５が形成する導光空間に導かれ、光拡散部材９１ｂに照射される。このように光拡散部材９１ｂに反射光が照射されるようにしたので、ＬＥＤ１３０が点光源であっても発光部１１４は全域で端部まで発光することが可能となる。ここで第１の反射部９６や第２の反射部９７、光反射リブ９８が一体で成形されている支持部材１２７は、光源であるＬＥＤ１３０の光をより反射しやすくするため白色で調色成形している。但し、白色に限るものではなく光を反射しやすい色であれば適宜用いることが可能である。
【００４５】
なお、前述の説明で光反射リブ９８の角度は略１００度としたが、これに限定されるものではなく、９０度から１３５度の範囲で設定可能であり、この範囲に設定すれば同様の反射性能が得られる。
【００４６】
前述のように点光源の光を側方に反射させ、更に傾斜面に反射させて上方に反射させるようにしたので、光を広げるための奥行きを大きくとらなくても発光部１１４は全域で端部まで発光することが可能となり、発光部１１４と同じ構成である各発光部１１３、１１４、１１５、１１６、１１７が発光した場合、各発光部が全域で端部まで発光するので、発光領域が円形状に連結したようになり操作性に加え、意匠性を高めることができる。
【００４７】
次に、可動部１２８の裏側には図５（ａ）、図５（ｂ）、図８（ｂ）に示すように、光反射リブ９８の両端で端部近傍に一対の突起９４が設けられており、図６に示すように基板１２６上でＬＥＤ１３０の両側に設置されたマイナスキー１１２に対応する一対の機械接点式のスイッチ１２９をそれぞれ押下できるように構成されている。
【００４８】
前述のように可動部１２８の裏側中央付近には光反射リブ９８が設けられ、可動部１２８の中央付近の基板１２６上にＬＥＤ１３０を配置しているので、スイッチ１２９を可動部１２８の中央付近に配置が困難である。
【００４９】
マイナスキー１１２は大きい面積を有しているので、片方の端部側だけにスイッチ１２９を配置すると操作性が悪くため、可動部１２８の裏側両端部近傍に突起９４が設け、基板１２６上に設置されたマイナスキー１１２に対応する一対のスイッチ１２９を押すようにすることで、マイナスキー１１２のどちらかの端部が押下された場合でも、一方のスイッチ１２９が閉状態となり入力状態となり、中央が押下された場合は、両方のスイッチ１２９が同時に閉状態となり同様に入力状態となる。すなわち、どちらか片方のスイッチ１２９のみが閉状態となっても、両方のスイッチ１２９が閉状態となっても、同様のマイナスキー１１２の入力として認識される設定となっている。
【００５０】
図８（ｃ）に示すように、マイナスキー１１２をスイッチ１２９が閉状態となるまで押下すると光反射リブ９８も基板１２６側へ移動する。この時、基板１２６と光反射リブ９８が近接し更にマイナスキー１１２を押し込もうとすると、光反射リブ９８が先に基板１２６に接触しそれ以上押し込めなくなるようになっている。このように構成することで、スイッチ１２９の押し込みすぎによる故障を防止する機能を光反射リブ９８に持たせることができる。
【００５１】
スタートキー１２１は例えばボタン状の樹脂成形部品で構成され、図３（ａ）、図９に示すように、シート状パネル１２５の円形状である第２の操作入力領域１１０の中央に開口した部分に設けられ、支持部材１２７に揺動可能に支持された可動部１３２に固定されている。
【００５２】
スタートキー１２１は、その内側に透過性の高い樹脂成形部品の発光部１２２を備えており、発光部１２２の裏側には光拡散部材９１ｃが設けられている。可動部１３２の後方には基板に設置されたスイッチ１３６とＬＥＤ１３５が配置されている。可動部１３２にはＬＥＤ１３５の光を導光する導光空間１３７と、光を光拡散部材９１ｃに向けて反射する傾斜を有する第１の反射部１３３と、第１の反射部１３３の両端に設けられた第２の反射部１３４が設けられている。
【００５３】
発光部１２２は、点光源であるＬＥＤ１３５からの光を側方から照射して第１の反射部１３３と第２の反射部１３４で上方に向かって反射させ、直接光ではなく反射光を光拡散部材９１ｃに照射しているので、広い幅方向全域で端部まで発光させることができる。
【００５４】
ここで、スタートキーと発光部の構成は、図９ではボタン状の樹脂成形部品の一部に透過性の高い樹脂成形部品を挿入して発光部１２２とし、その裏側に光拡散部材９１ｃを設けたものとして説明しているが、これに限定されるものではなく、ボタン状の樹脂成形部品を透過性の高い樹脂で形成、その裏側に一部を除いて隠蔽力のある塗装を施し、塗装の無い部分を発光部１２２としてその箇所に光拡散部材９１ｃを設けてもよく、適宜選択可能である。
【００５５】
なお、ここまでスイッチ１２９のような機械接点式スイッチで説明してきているが、図１０に示すような接点が導電性ゴムからなり、シート状パネルと一体化したメンブレンスイッチを使うことも可能である。図１０において１３１はメンブレンスイッチであり、機械接点式のスイッチ１２９のように突起９４が不要で機械式にスイッチ１２９を押下する構造を設ける必要がなく、操作部の奥行きを抑えることができる。
【００５６】
操作部８は、以上のように構成されており、使用者が操作を行う際の手順として、まず調理メニューを選択することが明確であるため、使用者が被調理物５を調理するのに適した調理メニューを選択しやすい。
また、仕上がり調節キーと時間設定キーとスタートキー１２１が１つの纏りになって第１の操作入力領域の下側に配置されていることにより、調理メニューの選択の後に操作を行うという操作手順を理解し易い。
【００５７】
また、取消しキー１２４は第１の操作入力領域１０１、および第２の操作入力領域１１０から離れた位置に独立して配置されているため、認識し易く、どの操作入力ステップにおいても容易に操作を行うことができる。
【００５８】
また、本実施の形態の加熱調理器は、被調理物５を加熱する加熱源として、マイクロ波による加熱手段と、ヒーター（フラットヒーター１８、背面ガラス管ヒーター３１、シーズヒーター２２）による加熱手段と、これらの加熱手段を組み合わせて用いる複合加熱手段の３通りの加熱手段を有し、また、調理メニューとして、レンジ調理と、グリル調理と、オーブン調理と、レンジ調理とグリル調理の複合調理であるレンジグリル調理の４通りの調理メニューを有する。
【００５９】
従って、グリルキー１０４とオーブンキー１０５を一つの領域にまとめながら、２つのキーとして配置することにより、加熱手段（加熱方法）で３通り備え、調理メニューとして４通り備えることを理解し易くしている。
また、以上で説明した各部の動作は、加熱調理器に設けられた制御部（図示せず）により、操作部からの入力や加熱調理器の各部に設けられた各種センサー（図示せず）からの検知結果に基づき、記憶部（図示せず）に記憶された各種プログラムを実行することで、制御される。
【００６０】
次に、本実施の形態において、各種調理を行う場合の操作手順について説明する。
図１１（ａ）〜図１１（ｃ）、図１２（ａ）〜図１２（ｃ）は、マイクロ波加熱によるレンジ調理の機能切り替えの操作手順と発光部の点灯状況、及び、表示部９の表示内容を示した説明図である。なお、図１１（ａ）〜図１１（ｃ）から図１２（ａ）〜図１２（ｃ）にかけて、連続する一連の操作の流れを示している。
また、図中に示す手のポインタは、図に示す状態において、手のポインタの位置するキーを押下して、次の状態に移ることを示す。
【００６１】
図１１（ａ）は、被調理物５を調理室２に載置して扉体４を閉じた初期状態の操作部８の状態であり、表示部９には「０」が表示され、レンジキー１０２と、レンジグリルキー１０３と、グリルキー１０４と、オーブンキー１０５の各キーに対応した発光部１０６、発光部１０７、発光部１０８、発光部１０９が点滅し、調理メニューを選択する４つのキーが有効であることを示している。
【００６２】
図１１（ａ）において、レンジキー１０２を１回押下した場合は、図１１（ｂ）の状態となる。レンジキーに対応する発光部１０６は、点滅から点灯に変わり、レンジ調理のモードに入ったことを示す。
また、表示部９には、「レンジ調理」が選択されていることが表示され、レンジ調理のモードである「自動」「あたため」のそれぞれのモード表示がされる。このようにレンジ調理には、自動モードと手動モードがあり、自動モードには、あたため、のみもの、ゆでもの、解凍のモードが選択できる。
【００６３】
ここで、レンジ調理の「自動」「あたため」のモードにおける、レンジ調理の仕上がりの調節項目は仕上がり温度であり、表示部９には初期設定時の温度である「８０℃」が表示される。
この状態で、レンジ調理の「自動」「あたため」モードで仕上がり温度設定ができているため、発光部１２２が点滅し、スタートキー１２１が有効であることが示される。
また、発光部１１４と発光部１１３も点灯し、初期設定時の温度をプラスキー１１１とマイナスキー１１２によって、仕上がり温度を変更できることも示される。
【００６４】
次に、図１１（ｂ）において、レンジキー１０２を１回押下した場合、自動モードの選択状態から手動モードへと選択状態が切り替わり、図１１（ｃ）の状態となる。
この時、レンジキー１０２に対応する発光部１０６は点灯を継続し、レンジ調理のモードであることを示す。そして、表示部９は「手動」のモード表示となる。この状態では、レンジ調理の仕上がりの調節項目はレンジ出力であり、表示部９には初期設定時の出力である「６００Ｗ」が表示される。また、調理時間の設定値として初期値の「０秒」が表示される。
【００６５】
また、発光部１１８、発光部１１９、発光部１２０が点滅し、５分キー１１５と１分キー１１６と１０秒キー１１７による調理時間の設定が促される。レンジ調理の手動モードでは、調理時間の設定は必須の操作であり、設定がされなければ調理が開始されない。
従って、調理時間が設定されるまで、スタートキー１２１は有効とならず、スタートキー１２１の有効状態を示す発光部１２２は点滅しない。
【００６６】
また、発光部１１３、発光部１１４は点灯し、プラスキー１１１とマイナスキー１１２により、レンジ出力の調節が可能なことが示される。
また、発光部１１３、発光部１１４と、発光部１１８、発光部１１９、発光部１２０は異なる色に発光するようになっており、使用者がキーの種類の違いを認識しやすい。
【００６７】
図１１（ｃ）において、レンジキー１０２を１回押下した場合、図１２（ａ）で示す状態となる。発光部１０６は点灯を継続し、レンジ調理のモードであることを示す。また、表示部９は、「自動」「のみもの」のモード表示となる。
この時、レンジ調理の仕上がりの調節項目は仕上がり温度であり、表示部９には初期設定時の温度である「６０℃」が表示される。
【００６８】
この状態で、レンジ調理の「自動」「のみもの」モードで仕上がり温度設定ができているため、発光部１２２が点滅し、スタートキー１２１が有効であることが示される。
また、発光部１１４と発光部１１３も点灯し、初期設定時の温度をプラスキー１１１とマイナスキー１１２によって仕上がり温度を変更できることも示される。
【００６９】
図１２（ａ）において、レンジキー１０２を１回押下した場合、図１２（ｂ）で示す状態となる。発光部１０６は点灯を継続し、レンジ調理のモードであることを示す。また、表示部９は、「自動」「ゆでもの」のモード表示となる。
この時、レンジ調理の仕上がりの調節項目は５段階の仕上がりの強弱レベルであり、表示部９には初期設定時の強弱レベル「３」が表示される。
【００７０】
この状態で、レンジ調理の「自動」「ゆでもの」モードで仕上がりの強弱レベルの設定ができているため、発光部１２２が点滅し、スタートキー１２１が有効であることが示される。
また、発光部１１４と発光部１１３も点灯し、初期設定時の温度をプラスキー１１１とマイナスキー１１２によって仕上がりの強弱レベルを変更できることも示される。
【００７１】
図１２（ｂ）において、レンジキー１０２を１回押下した場合、図１２（ｃ）の状態となる。発光部１０６は点灯を継続し、レンジ調理のモードであることを示す。この時、表示部９は、「自動」「解凍」のモード表示となる。表示部９、操作部８の動作は「自動」「ゆでもの」と同様であるため、説明を省略する。
そして、図１２（ｃ）において、レンジキー１０２を１回押下すると、図１１（ｂ）の状態に戻る。
【００７２】
以上、レンジ調理の機能切り替えの操作手順と発光部の点灯状況、及び、表示部９の表示内容を説明したが、これらの操作によって調理形態を設定した後、スタートキー１２１を押下することにより、調理を開始する。
尚、調理室２には、被調理物５の表面温度を検出する赤外線センサ（図示せず）と、調理室内温度と調理物５のより発生する蒸気温度を検出する温度センサ（図示せず）が設けられており、レンジ調理の自動モードでの調理時は、前記センサにより検出された調理物５の表面温度と蒸気温度とによって、調理時間が調節され、自動で調理が完了する。
【００７３】
次に、レンジ調理の「自動」「あたため」モードを使用する際の操作手順について説明する。
図１３（ａ）〜図１３（ｃ）は、レンジ調理の「自動」「あたため」のモードを使用する場合の操作手順と発光部の点灯状況、及び、表示部９の表示内容を示した説明図である。
【００７４】
図１３（ａ）は被調理物５を調理室２に載置して扉体４を閉じた初期状態の操作部８の状態であり、表示部９には０が表示され、レンジキー１０２と、レンジグリルキー１０３と、グリルキー１０４と、オーブンキー１０５の各キーに対応した発光部１０６、発光部１０７、発光部１０８、発光部１０９が点滅し、調理メニューを選択する４つのキーが有効であることを示している。
【００７５】
図１３（ａ）において、レンジキー１０２を１回押下した場合、図１３（ｂ）の状態となる。発光部１０６は、点滅から点灯に変わり、レンジ調理のモードに入ったことを示す。表示部９には、レンジ調理の選択であることが表示され、「自動」「あたため」のモード表示となる。
この時、レンジ調理の仕上がりの調節項目は仕上がり温度であり、表示部９には初期設定時の温度である「８０℃」が表示される。
【００７６】
この状態で、レンジ調理の「自動」「あたため」モードで仕上がり温度設定ができているため、発光部１２２が点滅し、スタートキー１２１が有効であることが示される。
また、発光部１１４と発光部１１３も点灯し、初期設定時の温度をプラスキー１１１とマイナスキー１１２によって仕上がり温度を変更できることも示される。
【００７７】
ここで、図１３（ｂ）に示すように、マイナスキー１１２を１回押下した場合、図１３（ｃ）の状態となる。マイナスキー１１２の１回の押下で、仕上がり温度が１０℃低く設定され、表示部９に「７０℃」が表示される。
この状態で、プラスキー１１１、マイナスキー１１２は継続して押下可能であり、仕上がり温度の調節が終了した時点で、スタートキー１２１を押下することにより、調理が開始される。
【００７８】
次に、レンジ調理の「手動」モードを使用する際の操作手順について説明する。
図１４（ａ）〜図１４（ｄ）は、レンジ調理の「手動」のモードを使用する場合の操作手順と発光部の点灯状況、及び、表示部９の表示内容を示した説明図である。
図１４（ａ）は被調理物５を調理室２に載置して扉体４を閉じた初期状態の操作部８の状態であり、表示部９には「０」が表示され、レンジキー１０２と、レンジグリルキー１０３と、グリルキー１０４と、オーブンキー１０５の各キーに対応した発光部１０６、発光部１０７、発光部１０８、発光部１０９が点滅し、調理メニューを選択する４つのキーが有効であることを示している。
【００７９】
図１４（ａ）において、レンジキー１０２をつづけて２回押下した場合、図１４（ｂ）の状態となる。
発光部１０６は点灯状態となり、表示部９は「手動」のモード表示となる。このとき、レンジ調理の仕上がりの調節項目はレンジ出力であり、表示部９には初期設定時の出力である「６００Ｗ」が表示される。また、調理時間の設定値として初期値の「０秒」が表示される。
【００８０】
次に、発光部１１８、発光部１１９、発光部１２０が点滅し、５分キー１１５と１分キー１１６と１０秒キー１１７による調理時間の設定が促される。レンジ調理の手動モードでは、調理時間の設定は必須の操作であり、設定がされなければ調理が開始されない。
したがって、調理時間が設定されるまで、スタートキー１２１は有効とならず、発光部１２２は点滅しない。
また、発光部１１３、発光部１１４は点灯し、プラスキー１１１とマイナスキー１１２により、レンジ出力の調節が可能なことが示される。
【００８１】
ここで、図１４（ｂ）に示すように、マイナスキー１１２を１回押下した場合、図１４（ｃ）の状態となる。
マイナスキー１１２の１回の押下でレンジ出力が「５００Ｗ」に設定される。この状態で、プラスキー１１１、マイナスキー１１２は継続して押下可能であるが、調理時間の設定が行われていないため、発光部１２２は点滅せず、スタートキー１２１が有効でないことが示される。
【００８２】
図１４（ｃ）において、５分キー１１５を１回押下した場合、図１４（ｄ）の状態となる。表示部９の調理時間表示が５分加えられて「５分００秒」となる。ここで、調理時間が設定されたため、「手動」モードでの調理を行うことができるようになり、発光部１１８、発光部１１９、発光部１２０は点滅から点灯に変わり、発光部１２２が点滅状態となり、スタートキー１２１が有効となる。
【００８３】
この状態でも発光部１１３、発光部１１４、及び、発光部１１８、発光部１１９、発光部１２０は点灯を継続し、プラスキー１１１とマイナスキー１１２によるレンジ出力の調節と、５分キー１１５と１分キー１１６と１０秒キー１１７による調理時間の設定の変更を行うことができる。
そして、以上の調理設定を行った後、スタートキー１２１を押下することにより、加熱調理が開始される。
【００８４】
次に、レンジグリル調理を選択した場合の操作手順を説明する。
図１５（ａ）〜図１５（ｃ）は、マイクロ波加熱によるレンジ調理の後に、フラットヒーター１８と背面ガラス管ヒーター３１を同時通電するグリル調理を連続して行うレンジグリル調理における機能切り替えの操作手順と発光部の点灯状況、および表示部９の表示内容を示した説明図である。
【００８５】
図１５（ａ）は、被調理物５を調理室２の調理プレート６上に載置して扉体４を閉じた初期状態の操作部８の状態であり、表示部９には「０」が表示され、レンジキー１０２と、レンジグリルキー１０３と、グリルキー１０４と、オーブンキー１０５の各キーに対応した発光部１０６、発光部１０７、発光部１０８、発光部１０９が点滅し、調理メニューを選択する４つのキーが有効であることを示している。
【００８６】
図１５（ａ）において、レンジグリルキー１０３を１回押下した場合、図１５（ｂ）の状態となる。レンジグリルキー１０３に対応する発光部１０７は、点滅から点灯に変わり、レンジグリル調理のモードに入ったことを示す。
表示部９には「レンジ→グリル」が表示され、レンジグリル調理の選択であることが示され、「自動」のモード表示となる。
【００８７】
レンジグリル調理において、レンジ調理のステップでは、レンジ出力は６００Ｗで固定され、レンジ調理からグリル調理に自動的に移行するタイミングは、調理室２に設けられた赤外線センサ（図示せず）と温度センサ（図示せず）によって検出された調理物５の加熱状況によって決定される。
また、グリル調理のステップに移行した後のヒーター加熱による調理時間は、調理の仕上がりの強弱レベルによって決定される。
【００８８】
レンジグリル調理の「自動」モードを選択した状態で、表示部９には初期設定時の強弱レベル「３」が表示され、発光部１２２が点滅し、スタートキー１２１が有効であることが示される。
また、発光部１１４と発光部１１３も点灯し、初期設定時の温度をプラスキー１１１とマイナスキー１１２によって仕上がり温度を変更できることも示される。
【００８９】
図１５（ｂ）において、レンジグリルキー１０３を１回押下した場合、図１５（ｃ）の状態となる。
発光部１０７は点灯を継続し、レンジグリル調理のモードであることを示す。表示部９は「手動」のモード表示となる。ここで、レンジ調理のステップでの設定可能項目はレンジ加熱時間のみであり、レンジ出力は６００Ｗ固定となる。また、グリル調理のステップでの調節可能項目は加熱時間のみとなる。
この状態において、表示部９のレンジ加熱時間表示エリア９ａにはレンジ加熱時間の設定値として初期値の「０秒」が表示され、ヒーター加熱時間表示エリア９ｂには、グリル加熱時間の初期値である「０秒」が表示され、連続加熱する双方の加熱モードでの加熱時間が両方同時に表示されている。
【００９０】
また、発光部１１８、発光部１１９、発光部１２０が点滅し、５分キー１１５と１分キー１１６と１０秒キー１１７によるレンジ加熱時間の設定が促される。レンジグリル調理の手動モードでは、レンジ加熱時間とグリル加熱時間の設定は必須の操作であり、設定がされなければ調理が開始されない。
従って、加熱時間が設定されるまで、スタートキー１２１は有効とならず、発光部１２２は点滅しない。
【００９１】
以上の調理設定を行った後、スタートキー１２１を押下することにより、加熱調理が開始される。
なお、図１５（ｃ）において、レンジキー１０３を１回押下すると、図１５（ｂ）の状態である「レンジグリル調理の自動」に戻る。
【００９２】
次に、レンジグリル調理の「手動」モードを使用する際の操作手順について説明する。
図１６（ａ）〜図１６（ｃ）、図１７（ａ）〜図１７（ｂ）は、マイクロ波加熱によるレンジ調理の後に、フラットヒーター１８と背面ガラス管ヒーター３１を同時通電するグリル調理を連続して行うレンジグリル調理の「手動」のモードを使用する場合の操作手順と発光部の点灯状況、及び、表示部９の表示内容を示した説明図である。なお、図１６（ａ）〜図１６（ｃ）から図１７（ａ）〜図１７（ｂ）にかけて、連続する一連の操作の流れを示している。
【００９３】
図１６（ａ）は被調理物５を加熱室２の調理プレート６上に載置して扉体４を閉じた初期状態の操作部８の状態であり、表示部９には０が表示され、レンジキー１０２と、レンジグリルキー１０３と、グリルキー１０４と、オーブンキー１０５の各キーに対応した発光部１０６、発光部１０７、発光部１０８、発光部１０９が点灯し、調理メニューを選択する４つのキーが有効であることを示している。
【００９４】
図１６（ａ）において、レンジグリルキー１０３を２回押下した場合、図１６（ｂ）の状態となる。
発光部１０７は、点灯を継続し、他の発光部１０６、１０８、１０９は消灯に変わり、レンジグリル調理のモードに入ったことを示す。表示部９には「レンジ→グリル」が表示され、レンジグリル調理の選択であることが示され、「手動」のモード表示となる。発光部１１８、発光部１１９、発光部１２０が点滅し、５分キー１１５と１分キー１１６と１０秒キー１１７によるレンジ加熱時間の設定が促される。
表示部９の下段の左側に設けられたレンジ加熱時間表示エリア９ａには、レンジ加熱時間の設定値として初期値の「０秒」が表示され、右側のヒーター加熱時間表示エリア９ｂにはグリル加熱時間の初期値である「０秒」が表示される。
【００９５】
次に、図１６（ｂ）において、５分キー１１５を１回押下すると、図１６（ｃ）の状態となる。表示部９のレンジ加熱時間表示エリア９ａに表示されたレンジ加熱時間表示が５分加えられて「５分００秒」となる。
ここで、レンジ加熱時間が設定されたため、次のステップ、すなわちグリル加熱時間設定ステップへの切り替え操作であるプラスキー１１１の設定操作を促すべく、発光部１１３が点滅する。発光部１１３は、点滅状態を継続し、プラスキー１１１の押下を促し続けるが、一定時間（例えば５秒）経過しても、プラスキー１１１の押下などのキー操作が無い場合、よりいっそうプラスキー１１１の設定操作を促すように、５分キー１１５と１分キー１１６と１０秒キー１１７の各発光部１１８、１１９、１２０を消灯するとともに、発光部１１３の輝度を高くして点滅させ、プラスキー１１１への注目度を高めるようになっている。なお、この状態でも５分キー１１５と１分キー１１６と１０秒キー１１７によるレンジ加熱時間の設定の変更を行うことができるように構成されている。なお、本実施の形態では、発光部１１３輝度を高くする例を挙げているが、発光部１１３の発行色を変化させたりして注目度を高くしてもよい。
【００９６】
次に、プラスキー１１１が押下されると、図１７（ａ）のグリル調理時間の設定ステップとなる。発光部１１８、発光部１１９、発光部１２０が点滅し、１０分キー１１５と５分キー１１６と１分キー１１７によるグリル加熱時間の設定が促される。図１７（ａ）の状態から、５分キー１１６が押下されると、図１７（ｂ）の状態、すなわち、ヒーター加熱時間表示エリア９ｂに設定された５分秒が表示されるとともに、発光部１１８、発光部１１９、発光部１２０は点滅から点灯に変わり、発光部１２２が点滅状態となり、スタートキー１２１が有効となる。
以上の調理設定を行った後、スタートキー１２１を押下することにより、加熱調理が開始される。
【００９７】
次に、グリル調理を選択した場合の操作手順を説明する。
図１８（ａ）〜図１８（ｃ）は、フラットヒーター１８と背面ガラス管ヒーター３１の同時通電によるグリル調理を行う場合の操作手順と発光部の点灯状況、及び、表示部９の表示内容を示した説明図である。
【００９８】
図１８（ａ）は、被調理物５を調理室２の調理プレート６上に載置して扉体４を閉じた初期状態の操作部８の状態であり、表示部９には「０」が表示され、レンジキー１０２と、レンジグリルキー１０３と、グリルキー１０４と、オーブンキー１０５の各キーに対応した発光部１０６、発光部１０７、発光部１０８、発光部１０９が点滅し、調理メニューを選択する４つのキーが有効であることを示している。
【００９９】
図１８（ａ）において、グリルキー１０４を１回押下した場合、図１８（ｂ）の状態となる。
発光部１０８は、点滅から点灯に変わり、グリル調理のモードに入ったことを示す。表示部９には「グリル」調理の選択であることが表示される。
【０１００】
また、発光部１１８、発光部１１９、発光部１２０が点滅し、５分キー１１５と１分キー１１６と１０秒キー１１７によるグリル調理時間の設定が促される。
グリル調理には、自動調理は無く、調理時間を設定する手動調理のみであるため、調理時間の設定は必須の操作であり、設定がされなければ調理が開始されない。
従って、調理時間が設定されるまで、スタートキー１２１は有効とならず、発光部１２２は点滅しない。
【０１０１】
図１８（ｂ）において、５分キー１１５を１回押下した場合、図１８（ｃ）の状態となる。表示部９の調理時間表示が５分加えられて「５分００秒」となる。
ここで、調理時間が設定されたため、調理を行うことができるようになり、発光部１１８、発光部１１９、発光部１２０は点滅から点灯に変わり、発光部１２２が点滅状態となり、スタートキー１２１が有効となる。ここで、スタートキー１２１を押下すると調理が開始される。
【０１０２】
次に、オーブン調理を選択する場合の操作手順を説明する。
図１９（ａ）〜図１９（ｃ）は、フラットヒーター１８とシーズヒーター２２の同時通電によるオーブン調理における機能切り替えの操作手順と発光部の点灯状況、及び、表示部９の表示内容を示した説明図である。
【０１０３】
図１９（ａ）は、被調理物５を調理室２の調理プレート６上に載置して扉体４を閉じた初期状態の操作部８の状態であり、表示部９には０が表示され、レンジキー１０２と、レンジグリルキー１０３と、グリルキー１０４と、オーブンキー１０５の各キーに対応した発光部１０６、発光部１０７、発光部１０８、発光部１０９が点滅し、調理メニューを選択する４つのキーが有効であることを示している。
【０１０４】
図１９（ａ）において、オーブンキー１０５を１回押下した場合、図１９（ｂ）の状態となる。発光部１０９は、点滅から点灯に変わり、オーブン調理のモードに入ったことを示す。表示部９には「オーブン」調理の選択であることが表示される。
【０１０５】
オーブン調理には自動調理は無く、手動による予熱なしのオーブン調理と「予熱あり」又は「予熱なし」のオーブン調理が選択できる。
予熱なしのオーブン調理モードでは、表示部９には「手動」「予熱なし」が表示され、表示部９下段の左側にはオーブン温度の初期値である「２００℃」が表示され、右側には調理時間の設定値として初期値の「０秒」が表示される。
【０１０６】
また、発光部１１８、発光部１１９、発光部１２０が点滅し、５分キー１１５と１分キー１１６と１０秒キー１１７によるオーブン調理時間の設定が促され、発光部１１４と発光部１１３が点灯し、初期設定時の温度をプラスキー１１１とマイナスキー１１２によってオーブン温度を変更できることが示される。
【０１０７】
図１９（ｂ）において、オーブンキー１０５を１回押下した場合、図１９（ｃ）の状態となる。表示部９には「手動」「予熱あり」が表示され、表示部９下段の左側にはオーブン温度の初期値である「２００℃」が表示されるが、右側には調理時間の設定値は表示されず、発光部１２２が点滅し、スタートキー１２１が有効となる。
以上の調理設定を行った後、スタートキー１２１を押下することにより、加熱調理が開始される。
なお、図１９（ｃ）において、オーブンキー１０５を１回押下すると、図１９（ｂ）の状態に戻る。
【０１０８】
次に、オーブン調理の予熱なしの場合の操作手順について説明する。
図２０（ａ）〜図２０（ｄ）はフラットヒーター１８とシーズヒーター２２の同時通電による予熱なしのオーブン調理を行う場合の操作手順と発光部の点灯状況、及び、表示部９の表示内容を示した説明図である。
【０１０９】
図２０（ａ）は、被調理物５を調理室２の調理プレート６上に載置して扉体４を閉じた初期状態の操作部８の状態であり、表示部９には「０」が表示され、レンジキー１０２と、レンジグリルキー１０３と、グリルキー１０４と、オーブンキー１０５の各キーに対応した発光部１０６、発光部１０７、発光部１０８、発光部１０９が点滅し、調理メニューを選択する４つのキーが有効であることを示している。
【０１１０】
図２０（ａ）において、オーブンキー１０５を１回押下した場合、図２０（ｂ）の状態となる。
発光部１０９は点滅から点灯に変わり、オーブン調理のモードに入ったことを示す。表示部９には「予熱なし」「オーブン」調理の選択であることが表示される。これは、図１９（ｂ）と同じ状態である。
【０１１１】
図２０（ｂ）において、プラスキー１１３を５回押下した場合、図２０（ｃ）の状態となる。表示部９下段左側のオーブン温度が「２５０℃」に設定される。予熱なしオーブン調理の手動モードでは、調理時間の設定は必須の操作であり、設定がされなければ調理が開始されない。
従って、調理時間が設定されるまで、スタートキー１２１は有効とならず、発光部１２２は点滅しない。
【０１１２】
図２０（ｃ）において、５分キー１１５を１回押下すると、図２０（ｄ）の状態となる。表示部９のオーブン調理時間表示が５分加えられて「５分００秒」となる。ここで、オーブン調理時間が設定されたため、調理を行うことができるようになり、発光部１１８、発光部１１９、発光部１２０は点滅から点灯に変わり、発光部１２２が点滅状態となり、スタートキー１２１が有効となる。
【０１１３】
この状態でも、発光部１１３、発光部１１４、および、発光部１１８、発光部１１９、発光部１２０は点灯を継続し、プラスキー１１１とマイナスキー１１２によるオーブン温度の調節と、５分キー１１５と１分キー１１６と１０秒キー１１７によるオーブン調理時間の設定の変更を行うことができる。
以上の調理設定を行った後、スタートキー１２１を押下することにより、加熱調理が開始される。
【０１１４】
次に、オーブン調理の予熱ありの場合の操作手順について説明する。
図２１（ａ）〜図２１（ｄ）は、フラットヒーター１８とシーズヒーター２２の同時通電による予熱ありのオーブン調理を行う場合の操作手順と発光部の点灯状況、および表示部９の表示内容を示した説明図である。
【０１１５】
図２１（ａ）は被調理物５を調理室２の調理プレート６上に載置して扉体４を閉じた初期状態の操作部８の状態であり、表示部９には「０」が表示され、レンジキー１０２と、レンジグリルキー１０３と、グリルキー１０４と、オーブンキー１０５の各キーに対応した発光部１０６、発光部１０７、発光部１０８、発光部１０９が点滅し、調理メニューを選択する４つのキーが有効であることを示している。
【０１１６】
図２１（ａ）において、オーブンキー１０５を２回押下した場合、図２１（ｂ）の状態となる。発光部１０９は点滅から点灯に変わり、オーブン調理のモードに入ったことを示す。
表示部９には「手動」「予熱あり」が表示され、表示部９下段の左側にはオーブン温度の初期値である「２００℃」が表示されるが、右側には調理時間の設定値は表示されず、発光部１２２が点滅し、スタートキー１２１が有効となる。これは、図１９（ｃ）と同じ状態である。
【０１１７】
図２１（ｂ）において、スタートキー１２１を押下すると、フラットヒーター１８とシーズヒーター２２が通電し、調理室２の予熱が開始する。調理室２の温度センサ（図示せず）により、調理室２内がオーブン設定温度２００℃に達したことを検出すると、フラットヒーター１８とシーズヒーター２２の通電が停止し、予熱が完了し、図２１（ｃ）の状態となる。
【０１１８】
図２１（ｃ）において、表示部９の下段には「予熱完」が表示され、オーブンの調理時間の初期値「０秒」が表示される。また、発光部１１８、発光部１１９、発光部１２０が点滅し、５分キー１１５と１分キー１１６と１０秒キー１１７によるオーブン調理時間の設定が促される。このとき、発光部１１３、発光部１１４は点灯せず、オーブン温度の調節できない。
【０１１９】
図２１（ｃ）において、５分キー１１５を１回押下すると図２１（ｄ）の状態となる。表示部９のオーブン調理時間表示が５分加えられて「５分００秒」となる。
ここで、オーブン調理時間が設定されたため、調理を行うことができるようになり、発光部１１８、発光部１１９、発光部１２０は点滅から点灯に変わり、発光部１２２が点滅状態となり、スタートキー１２１が有効となる。
以上の調理設定を行った後、スタートキー１２１を押下することにより、加熱調理が開始される。
【０１２０】
以上のように各部が構成されているので、使用者が操作を行う際の手順として、まず調理メニューを選択することが明確であるため、使用者が調理物５を調理するのに適した調理メニューを選択しやすい。
つまり、調理メニューを選択するキーであるレンジキー１０２とレンジグリルキー１０３とグリルキー１０４とオーブンキー１０５が１つの纏りとなって第１の操作入力領域を形成し、表示部９の近傍で、操作入力領域としては一番上の位置に配置されていることから、使用者が最初に認識しやすい。
【０１２１】
また、レンジキー１０２と、レンジグリルキー１０３と、グリルキー１０４と、オーブンキー１０５の各キーに対応した発光部１０６、発光部１０７、発光部１０８、発光部１０９が一体的に点滅し、調理メニューを選択する４つのキーが有効であることを示す。
これにより、上記の効果に加え、使用者が、調理メニューを選択するキーを最初に操作すべきキーであることを認識しやすく構成されている。
【０１２２】
また、第２の操作入力領域を構成する仕上がり調節キーと時間設定キーとスタートキー１２１が、１つの纏りとなって第１の操作入力領域の下側に配置されているので、使用者は、第１の操作入力領域における調理手段の選択の後に、第２の操作入力領域のキーの操作を行うという操作手順を理解し易い。
また、第１の操作入力領域を構成するキーの配列形状が略長方形であるのに対し、第２の操作入力領域を構成するキーの配列形状が円形状であるので、視覚的に大きく形状が異なり、使用者がキー操作を間違えにくく、それぞれの領域のキーの意味を理解しやすいものとなっている。
【０１２３】
また、本実施の形態の加熱調理器は、マイクロ波による加熱手段と、ヒーター（フラットヒーター１８、背面ガラス管ヒーター３１、シーズヒーター２２）による加熱手段と、これらの加熱手段を複合して用いる複合加熱手段の３通りの加熱モードを有し、調理メニューとして、レンジ調理と、グリル調理と、オーブン調理と、レンジ調理とグリル調理の複合調理の４通りの調理メニューを有する。
従って、グリルキー１０４とオーブンキー１０５を一つの領域にまとめながら、２つのキーとして配置することにより、加熱モードで３通り備え、調理メニューとして４通り備えることを理解し易くしている。
【０１２４】
また、取消しキー１２４は、第１の操作入力領域１０１、及び、第２の操作入力領域１１０から離れた位置に独立して配置されているため、使用者は認識し易く、どの操作入力ステップにおいても容易に操作を行うことができる。
また、取消しキー１２４は、第２の操作入力領域の中心から斜め下の位置に設けられているため、略長方形状である操作部８における第２の操作入力領域１１０の占める割合が大きくなり、第２の操作入力領域１１０が操作部８の下辺８ａと横辺（左辺８ｂ又は右辺８ｃ）に近づいても、第２の操作入力領域１１０は円形状であるので、第２の操作入力領域１１０と下辺８ａと横辺に囲まれた部分には隙間が形成される。
従って、操作部８における第２の操作入力領域１１０の占める割合が大きくなっても、取消しキー１２４を設けるスペースを確保することができる。
【０１２５】
また、調理時間の設定キーとして、５分キー１１５と１分キー１１６と１０秒キー１１７を備えたことにより、３つのキーにそれぞれ異なる数字が記述されるため、キーの種類が認識し易く、誤操作が起こりにくくなる。
特に、各キーの意味を示す表示である「５分」「１分」「１０秒」は、各キーの略中央に記載してあるので、キーの中心に表示が記載されている統一感がある文字表示であると共に、これらのキーを仕上がり調節キーと共に第２の操作入力領域として円形状に配置した場合、表示された文字が、横方向に連続して並ぶことが無い。つまり、キーに記載された「１分」の表示は、左右に隣り合うキーの表示である「５分」「１０秒」より下に位置するので、使用者がキーの種類を間違え難く配列されている。
【０１２６】
また、５分単位、及び、１分単位の時間設定キーを備えることで、５分から１０分の調理時間を設定することが容易になる。
つまり、マイクロ波加熱によるレンジ調理の後に、ヒーター加熱によるグリル調理を連続して行うレンジグリル調理では、グリル調理やオーブン調理だけでは時間のかかった焼き調理を短時間で行うことができるため、１０分以内で行う焼き調理の実施頻度が高い。
従って、レンジグリル調理を備えた加熱調理器において、５分単位、および、１分単位の時間設定キーを備えることにより、調理時間設定が容易になる。
【０１２７】
また、第２の操作入力領域１１０の外形状を仕上がり調節キーと時間設定キーにより円形状に構成し、この円形状内部にスタートキー１２１を配置することにより、各キーの操作性や視認性を向上させることができる。
つまり、スタートキー１２１が、調理の設定を行う仕上がり調節キーや時間設定キーの中心に位置するので、スタートキー１２１と各調節キーとが近く、また、スタートキー１２１と各調節キーの距離が同じであることから、いずれの設定キーからも設定操作後、スタートキー１２１をスムーズに操作することができる。
【０１２８】
また、調理の設定のために様々なキーを操作する際に、使用者の視線もキー操作に連動して様々な方向を移動するが、スタートキー１２１はこれらの設定キーの中心に位置するので、設定キーの操作中の使用者の視野に入りやく、キー操作をしながらスタートキー１２１の位置を認識することができ、視認性がよい。
従って、調理の設定操作の後、迷わずスタートキー１２１を操作しやすい。
【０１２９】
また、調理の仕上がり調節キーとして、プラスキー１１１、マイナスキー１１２をスタートキー１２１の上側に配置し、調理時間の設定キーとして、５分キー１１５、１分キー１１６、１０秒キー１１７をスタートキー１２１の下側に配置することにより、スタートキー１２１の上側に２つのキー、下側に３つのキーという配置となるため、上側が軽い印象の見た目となり、意匠性が向上する。
【０１３０】
ただし、プラスキー１１１、マイナスキー１１２をスタートキーの上側に配置し、５分キー１１５、１分キー１１６、１０秒キー１１７をスタートキー１２１の下側に配置することに限ったものでなく、プラスキー１１１、マイナスキー１１２をスタートキーの下側に配置し、５分キー１１５、１分キー１１６、１０秒キー１１７をスタートキー１２１の上側に配置してもよい。
このような配置とした場合、調理の仕上がり調節を行わない調理の場合には、調理メニューの選択と、調理時間設定の後にスタートキー１２１を押下する操作が上から下への操作となるため、操作が容易になる。
【０１３１】
また、プラスキー１１１、マイナスキー１１２と、５分キー１１５、１分キー１１６、１０秒キー１１７をスタートキー１２１の上下に配置し、第２の操作入力領域１１０が円形状になるように配置したことにより、視認性が向上するとともに、スタートキー１２１配置の面積を極力広くする場合に、スペース効率のよい配置方法となる。
但し、第２の操作入力領域１１０は円形状に限るものでなく、スタートキー１２１の周囲に、近接して仕上がり調節キーや時間設定キーを配置すればよく、楕円形状や矩形の配置としても、操作を容易にする効果が損なわれるものではない。
【０１３２】
また、操作部８に設けられた各種キーについて、入力操作を行う際に、選択した調理メニューや、各調理メニューのモードに対応して、キーの外側あるいは内側に設けられた発光部が点灯、あるいは点滅するため、操作が容易になるとともに誤操作が起こりにくくすることができる。
尚、本発明の実施の形態１において、発光部をキーの近傍に設けているが、これに限るものでなく、キーの領域を面で発光させる構成としてもよい。
【０１３３】
以上のように構成したので、点光源を使用する機器の操作部、加熱調理器に広く応用が可能である。
【符号の説明】
【０１３４】
１  本体、２  調理室、３  窓、４  扉体、５  被調理物、６  調理プレート、７  ハンドル、８  操作部、９  表示部、１８  フラットヒーター、１９  断熱材、２０  板金、２１  アンテナ、２２  シーズヒーター、２３  セラミックプレート、２４  下部加熱室、２５  モーター、２６  導波管、２８  チョーク、２９  開口パネル、３０  背面加熱室、３１  背面ガラス管ヒーター、３２  反射部、３３  背面開口部、３４  送風ファン、３５  循環室、３６  ファンモーター、３７  吸気口、９１ａ〜９１ｃ  光拡散部材、９２  液晶、９３  支持アーム、９４  突起、９５  導光溝、９６  第１の反射部、９７  第２の反射部、９８  光反射リブ、１０１  第１の操作入力領域、１０２  レンジキー、１０３  レンジグリルキー、１０４  グリルキー、１０５  オーブンキー  １０６  発光部、１０７  発光部、１０８  発光部、１０９  発光部、１１０  第２の操作入力領域、１１１  プラスキー、１１２  マイナスキー、１１３  発光部、１１４  発光部、１１５  ５分キー、１１６  １分キー、１１７  １０秒キー、１１８  発光部、１１９  発光部、１２０  発光部、１２１  スタートキー、１２２  発光部、１２３  第３の操作入力領域、１２４  取消しキー、１２５  シート状パネル、１２６  基板、１２７  支持部材、１２８  可動部、１２９  スイッチ、１３０  ＬＥＤ、１３１  メンブレンスイッチ、１３２  可動部、１３３  第１の反射部、１３４  第２の反射部、１３５  ＬＥＤ、１３６  スイッチ、１３７  導光空間、１３８  可動部、１３９  支持アーム、１４０  可動部、１４１  支持アーム、１４２  可動部、１４３  支持アーム、１４４  可動部、１４５  支持アーム。
【図１】
0005787602.tif 000002
【図２】
0005787602.tif 000003
【図３】
0005787602.tif 000004
【図４】
0005787602.tif 000005
【図５】
0005787602.tif 000006
【図６】
0005787602.tif 000007
【図７】
0005787602.tif 000008
【図８】
0005787602.tif 000009
【図９】
0005787602.tif 000010
【図１０】
0005787602.tif 000011
【図１１】
0005787602.tif 000012
【図１２】
0005787602.tif 000013
【図１３】
0005787602.tif 000014
【図１４】
0005787602.tif 000015
【図１５】
0005787602.tif 000016
【図１６】
0005787602.tif 000017
【図１７】
0005787602.tif 000018
【図１８】
0005787602.tif 000019
【図１９】
0005787602.tif 000020
【図２０】
0005787602.tif 000021
【図２１】
0005787602.tif 000022